(57)【要約】      （修正有）【課題】ＶＸのような難揮発性の液状物質を気化させて捕集できる簡潔な構造の装置を提供する。【解決手段】人の手で掴むのに適した太さと長さの略筒状を呈し、電源３とその制御部２を収めたハンドル１と、ハンドルの先端側に突出させて設けたハンドルより細く先端部を発熱部位とする発熱スティック４と、発熱部が制御部を介して電源に接続された発熱部を含む発熱回路と、スティック先端の発熱部に装着され、発熱部を作動させて目的とする物質に接近させることにより、発熱部の熱により気化する物質を吸着するスワブ体とから捕集装置を構成した。【選択図】図１
2016057143.tif 000002
【特許請求の範囲】
【請求項１】
人の手で掴むのに適した太さと長さの略筒状を呈するハンドルであって内部に電源とその制御部を収めたハンドルと、前記ハンドルの先端側に突出させて設けた前記ハンドルより細く先端部を発熱部位とする発熱スティックと、前記発熱部が前記制御部を介して前記電源に接続された前記発熱部を含む発熱回路と、前記スティック先端の発熱部に装着されるスワブ体であって前記発熱部を作動させて目的とする物質に接近させることにより、前記発熱部の熱により気化する前記物質を吸着するスワブ体とからなることを特徴とする液状物質の捕集装置
【請求項２】
スワブ体は、織布，編布，不織布のいずれかによって形成され、前記発熱部に着脱自在に装着するようにした請求項１に記載の捕集装置
【請求項３】
制御部は、発熱回路の少なくともＯＮ，ＯＦＦスイッチと、そのＯＮ，ＯＦＦの表示部と、発熱温度の設定，変更の操作部と、設定温度と現在温度の表示部とを備えた請求項１又は２に記載の捕集装置。
【請求項４】
発熱部の温度は５０℃〜１７０℃の範囲で制御するようにした請求項１〜３のいずれかに記載の捕集装置。
【発明の詳細な説明】
【技術分野】
【０００１】
本発明は例えばＶＸ（Ｃ１１Ｈ２６ＮＯ２ＰＳ）のような難揮発性の液状物質を、分析機器にかけやすい気化状態にして捕集するようにした液状物質を気化させて捕集する装置に関する。
【背景技術】
【０００２】
従来、ガス状物質を始めとする微粉状物質を吸引して捕集する装置としては、特許文献１〜３の発明が知られている。
【０００３】
上記特許文献１の捕集装置は、目的物質を捕集する捕集機構と、捕集物質を蒸発させる蒸発機構と、蒸発物質を吸引する吸引機構を備えて構成されている。
【０００４】
上記捕集装置は、具備する機構の中で吸引機構がモータやファンを必須とするため、装置が複雑で大がかりになってしまうという難点がある。特許文献２，３の発明についても同様の難点がある。
【先行技術文献】
【特許文献】
【０００５】
【特許文献１】特許第３７４６５１７号公報
【特許文献２】特開平７−６７２９号公報
【特許文献３】特表平６１−５００６３５号公報
【発明の概要】
【発明が解決しようとする課題】
【０００６】
本発明は、特許文献１などで知られている従来の目的物質の捕集装置、或は、前記物質の検知装置や検出装置の難点に鑑み、至って簡潔な構造で目的とする、特にＶＸのような難揮発性の液状物質を適切に気化させて捕集することができる装置を提供することを課題とする。
【課題を解決するための手段】
【０００７】
上記課題を解決することを目的としてなされた本発明捕集装置の構成は、人の手で掴むのに適した太さと長さの略筒状を呈するハンドルであって内部に電源とその制御部を収めたハンドルと、前記ハンドルの先端側に突出させて設けた前記ハンドルより細く先端部を発熱部位とする発熱スティックと、前記発熱部が前記制御部を介して前記電源に接続された前記発熱部を含む発熱回路と、前記スティック先端の発熱部に装着されるスワブ体であって前記発熱部を作動させて目的とする物質に接近させることにより、前記発熱部の熱により気化する前記物質を吸着するスワブ体とからなることを特徴とするものである。前記スワブ体は、織布，編布，不織布のいずれかによって形成され、前記発熱部に着脱自在に装着されるものである。
【０００８】
本発明において、上記制御部は、発熱回路の少なくともＯＮ，ＯＦＦスイッチと、そのＯＮ，ＯＦＦの表示部と、発熱温度の設定，変更の操作部と、設定温度及び現在温度の表示部とを備えたものであることが望ましい。
【発明の効果】
【０００９】
本発明は、人の手で掴むのに適した太さと長さの略筒状を呈するハンドルであって内部に電源とその制御部を収めたハンドルと、前記ハンドルの先端側に突出させて設けた前記ハンドルより細く先端部を発熱部位とする発熱スティックと、前記発熱部が前記制御部を介して前記電源に接続された前記発熱部を含む発熱回路と、前記スティック先端の発熱部に装着されるスワブ体であって前記発熱部を作動させて目的とする物質に接近させることにより、前記発熱部の熱により気化する前記物質を吸着するスワブ体とから捕集装置を構成したから、至った簡潔な構造と形態によって、ＶＸのような捕集したい物質を迅速かつ適切に気化して捕集することができる捕集装置を提供することができる。
特に、上記の本発明捕集装置は構造，形態が簡潔であることにより、可搬性、保管性に優れ、また、捕集器本体（ハンドルはハンドルと発熱部の関係形態など）を人の手によくなじみ操作性が良好なデザインとすることができるから、使い勝手の面でも優れている。
【図面の簡単な説明】
【００１０】
【図１】本発明捕集装置の一例を一部を断面にした正面図。
【図２】図１の捕集装置の平面図。
【図３】図１，図２の捕集装置の電気的構成を例示した模式的ブロック図。
【図４】本発明捕集装置に用いるスワブ体の一例の斜視図。
【発明を実施するための形態】
【００１１】
次に、本発明捕集装置の実施の形態例を図を参照しつつ説明する。
図１，図２において、１は人の手で握る乃至掴むのに適した太さと長さに形成した大略筒状、つまり内部が中空のハンドルで、長さがおよそ１５０ｍｍ〜２５０ｍｍ程度、太さがおよそ３０〜６０ｍｍの筒体により形成され、内部に後述する制御部２と一次電池又は二次電池による電源３が収装されている。図示しないが、電源３は、バー状に形成してハンドル１の後部などからバー状のまま出し入れできるように形成することもある。また、図示したハンドル１は略角筒状であるが、本発明のハンドル１は略丸筒状にしたり、物を握っているときの掌や指の面が作る凹凸をハンドル１の表面に付けて形成してもよい。
【００１２】
４は、前記ハンドル１の先端側（図１，２では左方）に突出するように設けた細目のスティック状をなす発熱スティックである。図示したスティック４はハンドル１の中心軸に対して浅い下向き角度（ここでは約15度）を付けて設けている。この傾斜は目的物質に対して接近するスティック先端の発熱部４ｂが、ハンドル４と同軸上にない方が操作者から視認しやすいからである。この意味でスティック４の先端部は前記下向き傾斜に加えハンドル１の左右いずれかの方向にも傾いていることが好ましい。
【００１３】
前記スティック４は、前記ハンドル１の取付基部１ａに当該スティック４の根元側４ａが着脱可能に装着されている。すなわち、ハンドル１の取付基部１ａは、ハンドル１の先端（図１，図２の左方）から突出形成された細い（前記スティック４の根元側と略同径）筒状部であり、この筒状の取付基部１ａに、前記スティック４の根元側４ａが嵌入されている。なお、図１において、取付基部１ａはハンドルの軸に対し約１５度の下向き傾斜が付けられている。また、前記ハンドル１において、１ｂは電池（電源３）の出入れのためにハンドル１の後端に設けたキャップである。電池の出し入れはハンドル１の側面で行えるようにしてもよい。
【００１４】
前記発熱スティック４の先端側は、先端を一例として尖鋭に加工した発熱部４ｂに形成されている。発熱スティック４は、ハンダごてとほぼ同様の構成を具備している。
即ち、発熱スティック４の全体は、一例として銅合金製であり、先端側の発熱部４ｂは中実であるが、後半側は発熱体としてニクロム線ヒータやセラミックヒータ等のヒータ４ｃが内蔵される中空体（筒状）に形成され、前記ヒータ４ｃに制御部２を経由した電源３の電流が供給されることにより前記ヒータ４ｃが発熱し、この熱が前記発熱部４ｂに伝わるようになっている。前記発熱部４ｂの先端は、後述するスワブ体５を着脱し易くする関係で、マイナスドライバのビット状、フォーク爪状、或は、球面状のいずれかに形成することが望ましい。
【００１５】
図示した例では、前記ハンドル１の内部に単３型の乾電池が４本収装されて電源３を形成し、この電源３の出力はこのハンドル１の内部に収めた制御部２で制御されて前記ヒータ４ｃに供給されるようになっている。使用する電池の型や本数を何本にするか、並びに、その電池を一次電池にするか二次電池にするかの選択は任意である。また、二次電池にはＡＣ／ＤＣコンバータ付きのものを使用できる。
【００１６】
制御部２は、図３に模式的に例示したように、スイッチ等の付属機器を備えて電源３とヒータ４ｃに接続された発熱回路２Ａを形成する。
すなわち、電源３とヒータ４ｃの間に挿入された制御部２は、発熱回路２ＡのＯＮ−ＯＦＦスイッチ２１、検出されるヒータ４ｃの温度によって該ヒータ４ｃに印加する電源３の電圧（又は電流）の上下値を制御するボリューム２２、前記スイッチ２１のＯＮ，ＯＦＦ動作を表示するＬＥＤによる表示ランプ２３、前記ボリューム２２の操作によるヒータ温度の上昇又は降下の状態を表示するＬＥＤによる昇降表示ランプ２４、温度センサ（図示せず）で検出されるヒータ温度を表示する液晶による温度表示部２５を具備して発熱回路２Ａの一例に形成されている。なお、温度センサには、熱電対やサーミスタ等の適宜の温度センサが用いられる。また、ヒータ４ｃの昇温範囲は、一例として、５０℃〜１７０℃の範囲であるが、実際には７０℃の設定で駆動する。
【００１７】
図４において、５は上記発熱部４ｂに被せる態様で用いるスワブ体で、編布，織布，不織布のいずれかで形成した布帛小片（一例として幅１０ｍｍ程度、長さ２０〜３０ｍｍ程度）の２片５ａ，５ｂを重ねて両サイドを線状縫着等によって合体し、中央の略トンネル状をなす挿通部５ｃに前記発熱部４ｂを挿入して使用する。スワブ体５の形態は図示した例に限られず、発熱部４ｂに被さる筒状体や筒状体に小布片を取付けたものなどであってもよい。
【００１８】
以上により本発明捕集装置の一例を構成するので、次にその使用例について述べる。
【００１９】
まず、目的物質が存在する近くにおいて、発熱スティック４の先端の発熱部４ｂに、スワブ体５を被せる。
【００２０】
次いで、電源スイッチ２１を操作してヒータ４ｃを駆動し、ボリューム２２を操作してヒータ４ｃの発熱温度を、一例として７０℃に設定する。設定温度と現在温度は、表示部２５に数値で表示される。
【００２１】
ヒータ４ｃの発熱が７０℃に達したら、それが表示部２５に表示されるから、本発明捕集装置のハンドル１を握った者は、発熱部４ｂに被せたスワブ体５を、目的物質、例えば、物体の表面に水滴状に付着しているＶＸに近付ける（図示せず）。
【００２２】
７０℃で発熱している発熱部４ｂに被ったスワブ体５を、前記水滴状のＶＸに接近させてかざすと、その液体の表面は前記熱によって気化乃至蒸発し、その気化乃至蒸発成分がスワブ体５に付着する。この時間は、目的物質の揮発性によっても異なるが、ＶＸの場合には２〜５秒程度で足りる。
【００２３】
スワブ体５が分析に必要な量の気化乃至蒸発成分を付着したと判断したら、当該スワブ体５を発熱部４ｂから外すと共に、図示しない成分分析機器の試料受部に前記スワブ体５を載せ、このスワブ体５に付着している前記気化乃至蒸発成分を分析して物質を特定をする。なお、スワブ体５を装着していた発熱部４ｂは、Ｇ−Ｎａ粉末を浸み込ませた合繊綿などにより払拭する等により除染を行う。
【００２４】
本発明捕集装置は、目的物質を熱で気化して蒸発成分をスワブ体に付着させ、そのスワブ体に付着している成分を、所定の分析機器によって分析，特定するようにしたから、様々な物体に付着している成分が特定されていない不明物質を特定するため該物質をガス状にして捕集する物質の捕集装置としてきわめて有用である。
また、本発明捕集装置は、構造，形態が簡潔であるから、コンパクトで運搬，保管に便利であることは勿論、使い易い形態にデザインできるという利点がある。
【符号の説明】
【００２５】
１  ハンドル
２  制御部
３  電源
４  発熱スティック
５  スワブ体
【図１】
2016057143.tif 000003
【図２】
2016057143.tif 000004
【図３】
2016057143.tif 000005
【図４】
2016057143.tif 000006